(57)【要約】【課題】裁断に伴って生じる裁断片の落下姿勢のばらつきを抑制することができる裁断装置及び同裁断装置を備える記録装置を提供する。【解決手段】裁断装置４０は、シートＳを幅方向Ｘに裁断する裁断機構４３と、裁断機構４３の鉛直方向下方に配置され、裁断したシートＳの裁断片ＣＳを受ける案内部４４と、を備える。裁断機構４３は、幅方向Ｘにおける第１端側に位置合わせされたシートＳを幅方向Ｘの第２端側から第１端側に向けて裁断して裁断片ＣＳを発生させる。案内部４４の幅方向Ｘと交差する長さ方向Ｙにおける長さは、幅方向Ｘにおける第１端側よりも第２端側の方が短い。【選択図】図７
2015054358.tif 000002
【特許請求の範囲】
【請求項１】
シートを幅方向に裁断する裁断機構と、
前記裁断機構の鉛直方向下方に配置され、裁断した前記シートの裁断片を受ける案内部と、
を備え、
前記裁断機構は、前記幅方向における第１端側に位置合わせされた前記シートを前記幅方向の第２端から前記第１端に向かう向きに裁断して前記裁断片を発生させ、
前記案内部の前記幅方向と交差する長さ方向における長さは、前記幅方向における前記第１端側よりも前記第２端側の方が短いことを特徴とする裁断装置。
【請求項２】
前記案内部は、前記長さ方向における先端が前記長さ方向における基端よりも低いことを特徴とする請求項１に記載の裁断装置。
【請求項３】
前記案内部の前記長さ方向における先端には縁部が設けられ、
前記長さ方向における基端から先端に続く前記案内部の面より前記縁部の面の方が水平に対する傾斜角度が小さいことを特徴とする請求項２に記載の裁断装置。
【請求項４】
前記裁断機構は、前記幅方向に延びる刃部が設けられた固定刃と、前記刃部に沿って移動する可動刃と、前記可動刃の移動領域の前記幅方向における前記第１端側の端部に配置され、前記幅方向に対する前記裁断片の動きを規制する規制壁部と、を有し、
前記規制壁部は、前記鉛直方向において前記案内部よりも上方に配置されていることを特徴とする請求項１〜請求項３のうちいずれか一項に記載の裁断装置。
【請求項５】
前記規制壁部は、前記幅方向において前記第２端側から前記第１端側に向かって下がるように傾斜していることを特徴とする請求項４に記載の裁断装置。
【請求項６】
前記裁断片を収容する収容容器を備えることを特徴とする請求項１〜請求項５のうち何れか一項に記載の裁断装置。
【請求項７】
シートに記録を行う記録部と、
請求項１〜請求項６のうち何れか一項に記載の裁断装置と、
を備える記録装置。
【発明の詳細な説明】
【技術分野】
【０００１】
本発明は、用紙などのシートを裁断する裁断装置及び同裁断装置を備えるプリンターなどの記録装置に関する。
【背景技術】
【０００２】
記録装置の一例として、用紙を裁断する裁断装置と、用紙の裁断に伴って生じた切り屑を収容する屑収容部とを備えるプリンターがある。こうしたプリンターにおいては、短冊状の切り屑の向きをそろえた状態で屑収容部に収容するために、裁断方向が異なる用紙の端縁屑と側縁屑とを別々の屑収容部に収容するものがある（例えば、特許文献１）。
【先行技術文献】
【特許文献】
【０００３】
【特許文献１】特開２０１１−２０２２９号公報
【発明の概要】
【発明が解決しようとする課題】
【０００４】
ところで、用紙を幅方向に裁断する場合には、異なる幅の用紙を裁断すると、長さの異なる切り屑が発生する。そして、用紙を幅方向の一端側から他端側に向けて裁断する場合には、裁断方向が一定であっても、切り屑の長さによって屑収容部に落下するときの姿勢がばらついてしまうことがある。
【０００５】
このように切り屑の落下姿勢がばらつくと、切り屑の向きがそろわない状態で屑収容部に落下するために、切り屑が鳥の巣状に重なった状態で積み上げられて、屑収容部内がすぐに満杯になってしまうという課題が生じる。
【０００６】
本発明は、こうした実情に鑑みてなされたものであり、その目的は、裁断に伴って生じる裁断片の落下姿勢のばらつきを抑制することができる裁断装置及び同裁断装置を備える記録装置を提供することにある。
【課題を解決するための手段】
【０００７】
以下、上記課題を解決するための手段及びその作用効果について記載する。
上記課題を解決する裁断装置は、シートを幅方向に裁断する裁断機構と、前記裁断機構の鉛直方向下方に配置され、裁断した前記シートの裁断片を受ける案内部と、を備え、前記裁断機構は、前記幅方向における第１端側に位置合わせされた前記シートを前記幅方向の第２端から前記第１端に向かう向きに裁断して前記裁断片を発生させ、前記案内部の前記幅方向と交差する長さ方向における長さは、前記幅方向における前記第１端側よりも前記第２端側の方が短い。
【０００８】
裁断機構がシートを幅方向の第２端から第１端に向かう向きに裁断していくと、シートの先端部分は第１端側が切り離されるまで繋がった状態となるため、切られるに従い裁断された第２端側が垂れ下がっていく。そして、裁断されるシートの幅が広い場合には、裁断片の長さが長くなるので、裁断片は長手方向が鉛直方向に沿うような縦長の姿勢になって落下することがある。一方、裁断されたシートの幅が狭い場合には、裁断片は長さが短くなるので、裁断片は裁断され終わったときの勢いで第１端側を中心に回転し、裁断片の落下姿勢がばらついてしまうことがある。その点、上記構成によれば、シートの裁断片を案内部が受けるため、例えば、シートの先端部分が裁断されて垂れ下がっていく場合、その垂れ下がった部分が案内部に接触することによって、裁断片は長手方向が幅方向に沿うように落下時の姿勢がそろえられる。また、案内部がシートの垂れ下がった第２端側を受けることにより、第１端側が裁断され終わったときの裁断片の回転が抑制される。ただし、裁断片が長い場合には、先に垂れ下がった第２端側が案内部に引っかかることによって落下時の姿勢が変化してしまうおそれがある。その点、案内部の長さ方向における長さは、幅方向における第１端側よりも第２端側の方が短くなっているので、長い裁断片の案内部に対する引っかかりが抑制される。したがって、裁断に伴って生じる裁断片の落下姿勢のばらつきを抑制することができる。
【０００９】
上記裁断装置において、前記案内部は、前記長さ方向における先端が前記長さ方向における基端よりも低い。
この構成によれば、案内部は、長さ方向における先端が長さ方向における基端よりも低いので、案内部に接触した裁断片の引っかかりを抑制しつつ、接触した裁断片の姿勢をそろえることができる。
【００１０】
上記裁断装置において、前記案内部の前記長さ方向における先端には縁部が設けられ、前記長さ方向における基端から先端に続く前記案内部の面より前記縁部の面の方が水平に対する傾斜角度が小さい。
【００１１】
この構成によれば、案内部の長さ方向における先端部分には縁部が設けられており、基端から先端に続く案内部の面より縁部の面の方が水平に対する傾斜角度が小さいので、案内部の傾斜に沿って下方に案内される裁断片は、縁部において落下速度が低減される。そして、裁断片の第２端側の落下を遅らせることによって、裁断片の姿勢が水平に近づくように、裁断片の姿勢を整えることができる。
【００１２】
上記裁断装置において、前記裁断機構は、前記幅方向に延びる刃部が設けられた固定刃と、前記刃部に沿って移動する可動刃と、前記可動刃の移動領域の前記幅方向における前記第１端側の端部に配置され、前記幅方向に対する前記裁断片の動きを規制する規制壁部と、を有し、前記規制壁部は、前記鉛直方向において前記案内部よりも上方に配置されている。
【００１３】
可動刃が幅方向に移動してシートを裁断すると、裁断片が可動刃の移動方向に飛ばされて、落下するときの姿勢がばらついてしまうことがある。その点、上記構成によれば、可動刃の移動方向に飛ばされた裁断片は、可動刃の移動領域の幅方向における端部に配置された規制壁部に接触することによって、移動領域の外側へ向けた移動が規制される。また、規制壁部は鉛直方向において案内部よりも上方に配置されているので、規制壁部に接触して落下した裁断片を案内部に接触させることによって、長手方向が幅方向に沿うように落下時の姿勢をそろえることができる。
【００１４】
上記裁断装置において、前記規制壁部は、前記幅方向において前記第２端側から前記第１端側に向かって下がるように傾斜している。
この構成によれば、規制壁部は幅方向において第２端側から第１端側に向かって下がるように傾斜しているので、可動刃の移動方向に飛ばされて規制壁部に接触した裁断片は、移動領域の内側（規制壁部より第２端寄り）に向けて落下する。したがって、規制壁部に接触して落下する裁断片を、規制壁部よりも下方に位置する案内部に接触させて、落下時の姿勢をそろえることができる。
【００１５】
上記裁断装置は、前記裁断片を収容する収容容器を備える。
この構成によれば、裁断片の落下時の姿勢をそろえることによって、裁断片の向きをそろえた状態で収容容器に収容することができるので、より多くの裁断片を収容容器に収容することができる。
【００１６】
上記課題を解決する記録装置は、シートに記録を行う記録部と、上記裁断装置と、を備える。
この構成によれば、裁断片の落下時の姿勢をそろえることによって、裁断片の向きをそろえた状態で収容することができるので、より多くの裁断片を収容することができる。そのため、頻繁に裁断片を捨てる必要がなく、連続して記録を行うことができる。
【図面の簡単な説明】
【００１７】
【図１】一実施形態の記録装置の斜視図。
【図２】同記録装置の断面図。
【図３】一実施形態の裁断装置の上面図。
【図４】同裁断装置の斜視図。
【図５】規制壁部の作用を説明する斜視図。
【図６】幅が狭いシートを裁断するときの裁断装置を示す斜視図。
【図７】幅が広いシートを裁断するときの裁断装置を示す斜視図。
【図８】裁断装置の比較例を示す斜視図。
【発明を実施するための形態】
【００１８】
以下、記録装置の実施形態について、図を参照して説明する。記録装置は、例えば、用紙などのシートに記録材の一例であるインクを噴射することによって記録（印刷）を行うプリンターである。
【００１９】
図１に示すように、本実施形態の記録装置１１は筐体部１２を備えている。筐体部１２の前面側には開口部１３が形成されている。また、筐体部１２の前面には、開口部１３の鉛直方向上方となる位置に、排出口１４が形成されている。
【００２０】
筐体部１２内には、開口部１３を通じてホルダーユニット１６が引き出し可能な状態で収容される。ホルダーユニット１６は、長尺のシートＳを円筒状に巻き重ねたロール体Ｒを回転可能な状態で保持する。
【００２１】
ホルダーユニット１６は、筐体部１２に収容された場合に記録装置１１の外装の一部を構成する前板部１７と、ロール体Ｒを支持する一対の支持壁１８と、ロール体Ｒから巻き解いたシートＳの先端を挿入するための挿入口１９とを備えている。なお、ホルダーユニット１６にはシートＳの搬送経路が形成されており、挿入口１９はこの搬送経路につながっている。
【００２２】
挿入口１９は、前板部１７と、前板部１７の後方に配置された挿入口形成部材２１とによって形成される。挿入口形成部材２１には、シートＳを幅方向Ｘにおける第１端側に寄せるための位置決め部材２３が幅方向Ｘに移動可能な状態で取り付けられている。
【００２３】
筐体部１２には、開口部１３を露出させる開位置（図１に示す位置）と、開口部１３を覆う閉位置（図２に示す位置）とに配置可能な収容容器２５が着脱可能に取り付けられる。収容容器２５は、閉位置に配置された場合に記録装置１１の外装の一部を構成する外装部材２６と、閉位置に配置されたときに筐体部１２内に配置される収容部形成部材２７とによって構成されている。
【００２４】
図２に示すように、筐体部１２内において、ホルダーユニット１６を収容する空間の上方には、ロール体Ｒから巻き解かれたシートＳに記録を行う記録部３１が収容されている。記録部３１は、シートＳに対してインクを噴射可能な液体噴射ヘッド３２を備えている。
【００２５】
記録装置１１は、ホルダーユニット１６から排出口１４に向かう搬送方向にシートＳを搬送する搬送機構３３を備えている。搬送機構３３は、シートＳの搬送経路に沿って配置された複数の搬送ローラーを有している。
【００２６】
シートＳの搬送経路において記録部３１と排出口１４との間には、シートＳを裁断する裁断装置４０が配置されている。裁断装置４０は、シートＳの幅方向Ｘ（図２においては紙面と直交する方向）に延びる固定刃４１と幅方向Ｘに移動する円盤状の可動刃４２とを有する裁断機構４３と、裁断機構４３の鉛直方向下方に配置される案内部４４と、を備えている。
【００２７】
図３に示すように、固定刃４１及び案内部４４は、シートＳの幅方向Ｘが長手方向になるとともにシートＳの長さ方向Ｙが短手方向となるように配置されている。なお、シートＳの長さ方向Ｙは、シートＳの搬送方向でもある。また、シートＳは、搬送経路の幅方向Ｘにおける第１端側（図３では右端側）に寄せられた状態で搬送される。そして、固定刃４１には、長さ方向Ｙにおける先端側（シートＳの搬送方向の下流側）に幅方向Ｘに延びる刃部４１ａが設けられている。
【００２８】
裁断機構４３は、幅方向Ｘに延びて固定刃４１を支持する支持フレーム４５と、支持フレーム４５の幅方向Ｘにおける第１端側に固定された駆動源４６と、支持フレーム４５に沿って幅方向Ｘに往復移動する保持部４７と、保持部４７に駆動源４６の駆動力を伝達する伝達機構４８とを備えている。そして、可動刃４２は、保持部４７に回動自在に保持されている。
【００２９】
駆動源４６は、例えば第１方向及び第１方向の逆方向となる第２方向に回転駆動するモーターである。そして、駆動源４６が第１方向に回転駆動すると、伝達機構４８が駆動源４６の駆動力を伝達することによって保持部４７が支持フレーム４５に沿って幅方向Ｘの第１端側から第２端側（図３では左端側）に向けて移動する。このとき、保持部４７に保持された可動刃４２は、刃部４１ａに沿って幅方向Ｘの第１端側から第２端側に向けて移動して、シートＳを裁断する。
【００３０】
また、駆動源４６が第２方向に回転駆動すると、伝達機構４８が駆動源４６の駆動力を伝達することによって保持部４７が支持フレーム４５に沿って幅方向Ｘの第２端側から第１端側に向けて移動する。このとき、保持部４７に保持された可動刃４２は、刃部４１ａに沿って幅方向Ｘの第２端側から第１端側に向けて移動して、シートＳを裁断する。
【００３１】
裁断機構４３は、可動刃４２の移動領域の幅方向Ｘにおける両端部に配置された規制壁部４９（４９Ｌ，４９Ｒ）を備えている。なお、規制壁部４９Ｒは可動刃４２の移動領域の幅方向Ｘにおける第１端側の端部に配置されている一方、規制壁部４９Ｌは可動刃４２の移動領域の幅方向Ｘにおける第２端側の端部に配置されている。
【００３２】
規制壁部４９は、鉛直方向において案内部４４よりも上方に配置されている。そして、規制壁部４９は、幅方向Ｘにおいて第２端側から第１端側に向かって下がるように、すなわち上端が下端よりも移動領域の内側寄りに位置するように傾斜している。
【００３３】
図４に示すように、案内部４４は、長さ方向Ｙにおける基端が収容容器２５を構成する収容部形成部材２７の上端部分に固定されている。そして、案内部４４は、長さ方向Ｙにおける先端が基端よりも低くなって収容容器２５内に配置されるように、下向きに傾斜している。また、案内部４４は、長さ方向Ｙにおける基端が裁断機構４３の鉛直方向下方に配置される一方で、長さ方向Ｙにおける先端が裁断機構４３よりも長さ方向Ｙに突出している。
【００３４】
案内部４４の長さ方向Ｙにおける長さは、幅方向Ｘにおける第１端側よりも第２端側の方が短くなっている。本実施形態において、案内部４４の幅方向Ｘにおける第１端側の長い部分を第１案内部５１とする一方で、案内部４４の幅方向Ｘにおける第２端側の短い部分を第２案内部５２とする。
【００３５】
第１案内部５１の長さ方向Ｙにおける先端には縁部５１ａが設けられているとともに、第２案内部５２の長さ方向Ｙにおける先端には縁部５２ａが設けられている。なお、長さ方向Ｙにおける基端から先端に続く案内部４４（５１，５２）の面より、縁部５１ａ，５２ａの面の方が水平に対する傾斜角度が小さい。
【００３６】
次に、以上のように構成された記録装置１１の作用について説明する。
図２に示すように、シートＳに対して記録を行う場合には、搬送機構３３が位置決め部材２３によって幅方向Ｘの第１端側に位置決めされたシートＳを排出口１４に向けて搬送する。
【００３７】
シートＳが記録部３１に搬送されると、シートＳに対して液体噴射ヘッド３２からインクが噴射されることによって、シートＳに記録（印刷）が行われる。また、シートＳは記録が施された部分が単位長さ毎に裁断装置４０によって切断されることで、単票ＣＰとなる。そして、記録が完了した単票ＣＰは排出口１４を通じて筐体部１２外に排出される。
【００３８】
なお、本実施形態の裁断機構４３は、駆動源４６が第１方向に回転駆動して、可動刃４２が幅方向Ｘの第１端側から第２端側に向けて移動することによって、シートＳから単票ＣＰを切り離す。その後、搬送機構３３によってシートＳが所定距離搬送されると、駆動源４６が第２方向に回転駆動して、可動刃４２が幅方向Ｘの第２端側から第１端側に向けて移動することによって、裁断機構４３がシートＳの長さ方向Ｙにおける先端部分を幅方向Ｘに裁断する。
【００３９】
このとき裁断されるシートＳの先端部分は、先に裁断された単票ＣＰの後端と次に裁断される単票ＣＰの前端との間の余白部分であるので、不要な裁断片ＣＳとして切り落とされて、収容容器２５に収容される。すなわち、裁断機構４３は、幅方向Ｘにおける第１端側に位置合わせされたシートＳを幅方向Ｘの第２端から第１端に向かう向きに裁断して、裁断片ＣＳを発生させる。そして、収容容器２５に裁断片ＣＳが溜まると、収容容器２５を筐体部１２から取り外して、収容された裁断片ＣＳを除去する。
【００４０】
ところで、図５に示すように可動刃４２が幅方向Ｘに移動してシートＳの長さ方向Ｙにおける先端部分を幅方向Ｘの第２端側から第１端側に向けて裁断していくと、シートＳの先端部分は裁断された部分が垂れ下がっていく。
【００４１】
そして、可動刃４２が第１端側の端部に到達して裁断片ＣＳが切り離されたとき、裁断片ＣＳが図５に実線で示すように可動刃４２の移動方向に飛ばされて、図５に二点鎖線で示すように落下するときの姿勢がばらついてしまうことがある。なお、裁断されたシートＳの幅が狭く、裁断片ＣＳの長さが短い場合には、裁断片ＣＳが軽いので、特に可動刃４２の移動方向に飛びやすい。
【００４２】
その点、本実施形態においては、移動方向に飛んだ裁断片ＣＳは可動刃４２の移動領域の幅方向Ｘにおける端部に配置された規制壁部４９に接触することによって、移動領域の外側へ向けた移動が規制される。すなわち、規制壁部４９は幅方向Ｘに対する裁断片ＣＳの動きを規制する。
【００４３】
そして、規制壁部４９は幅方向Ｘにおいて第２端側から第１端側に向かって下がるように傾斜しているので、規制壁部４９に接触した裁断片ＣＳは、移動領域の内側に向けて落下する。また、落下した裁断片ＣＳを案内部４４が受ける。
【００４４】
すると、裁断片ＣＳは、先に垂れ下がった第２端側から案内部４４に接触していくことで姿勢が水平に近づくとともに、案内部４４の傾斜に沿って滑り落ちることによって長手方向が幅方向Ｘに沿うように向きがそろえられる。
【００４５】
このとき、図５に示すような短い裁断片ＣＳは、案内部４４の第１案内部５１に接触して滑り落ちる。なお、短くて軽い裁断片ＣＳが勢いよく落下した場合には、第１案内部５１に沿って滑り落ちる速度が速くなるが、裁断片ＣＳは案内部４４の下端側の端部に設けられた縁部５１ａに接触することによって、落下速度が低減される。
【００４６】
そのため、案内部４４の縁部５１ａを離れた裁断片ＣＳは落下姿勢が変化することなく、図５に示すように長手方向が幅方向Ｘに沿うように向きがそろえられた状態で収容容器２５内に収容される。
【００４７】
続いて、シートＳから切り離された裁断片ＣＳが可動刃４２の移動方向に飛ばない場合について説明する。
この場合には、図６に実線で示すように、可動刃４２がシートＳの長さ方向Ｙにおける先端部分を幅方向Ｘの第２端側から第１端側に向けて裁断していくと、シートＳの先端部分は裁断された部分が垂れ下がっていく。すると、その垂れ下がった部分を案内部４４が受ける。
【００４８】
ここで、案内部４４が裁断片ＣＳを受けないと、裁断片ＣＳは裁断され終わったときの勢いで図６に二点鎖線で示すように第１端側を中心に回転して、裁断片ＣＳの落下姿勢がばらついてしまうことがある。なお、裁断されたシートＳの幅が狭く、裁断片ＣＳの長さが短い場合には、特に裁断片ＣＳが回転しやすい。
【００４９】
その点、裁断片ＣＳの第２端側が案内部４４に接触することによって、裁断片ＣＳは第１端側が裁断され終わったときの回転が抑制される。そして、裁断片ＣＳは案内部４４の傾斜に沿って滑り落ちることによって長手方向が幅方向Ｘに沿うように向きがそろえられる。
【００５０】
一方、図７に示すように、裁断されるシートＳの幅が広い場合には、裁断片ＣＳの長さが長くなるので、案内部４４が裁断片ＣＳを受けないと、裁断片ＣＳは長手方向が鉛直方向に沿うような縦長の姿勢になって落下することがある。
【００５１】
その点、本実施形態では、シートＳの先端部分から垂れ下がった第２端側が第２案内部５２に接触した後に、後から切り離された第１端側が第１案内部５１に接触して、案内部４４の傾斜に沿って滑り落ちることによって、裁断片ＣＳは長手方向が幅方向Ｘに沿うように落下時の姿勢がそろえられる。
【００５２】
なお、裁断片ＣＳが可動刃４２の移動方向に飛ばない場合にも、裁断片ＣＳは案内部４４の縁部５１ａ，５２ａに接触することによって落下速度が低減されるので、縁部５１ａ，５２ａを離れた後の裁断片ＣＳの落下姿勢の変化が抑制される。
【００５３】
ただし、仮に図８の比較例に示すように、長さ方向Ｙにおける長さが幅方向Ｘに一様である案内部６０に長い裁断片ＣＳが接触した場合には、裁断片ＣＳの先に垂れ下がった第２端側が案内部６０に引っかかることによって、裁断片ＣＳの落下時の姿勢が変化してしまうおそれがある。なお、案内部６０の先端に傾斜の緩い縁部６１が設けられている場合には、特に裁断片ＣＳが引っかかりやすい。
【００５４】
その点、本実施形態の案内部４４の長さ方向Ｙにおける長さは、図７に示すように幅方向Ｘにおける第１端側よりも第２端側の方が短くなっているので、長い裁断片ＣＳであっても案内部４４に引っかかることなく、落下時の姿勢がそろえられる。そのため、複数の裁断片ＣＳは、図７に示すように長手方向が幅方向Ｘに沿うように姿勢が揃った状態で、収容容器２５内に収容される。
【００５５】
なお、裁断装置４０は、記録装置１１内に配置されているものとして説明したが、記録装置１１とは独立させて使用してもよい。また、この場合を含め、収容容器２５は裁断装置４０を構成する部材とすることができる。
【００５６】
上記実施形態によれば、以下のような効果を得ることができる。
（１）シートＳの先端部分が裁断されて垂れ下がっていくと、その垂れ下がった部分を案内部４４が受けることによって、裁断片ＣＳは長手方向が幅方向Ｘに沿うように落下時の姿勢がそろえられる。また、案内部４４がシートＳの垂れ下がった第２端側を受けることにより、第１端側が裁断され終わったときの裁断片ＣＳの回転が抑制される。さらに、案内部４４の長さ方向Ｙにおける長さは、幅方向Ｘにおける第１端側よりも第２端側の方が短くなっているので、長い裁断片ＣＳの案内部４４に対する引っかかりが抑制される。したがって、裁断に伴って生じる裁断片ＣＳの落下姿勢のばらつきを抑制することができる。
【００５７】
（２）異なる幅のシートＳを裁断すると、長さの異なる裁断片ＣＳが発生し、シートＳを幅方向Ｘの一端側から他端側に向けて裁断する場合には、裁断方向が一定であっても、裁断片ＣＳの長さによって収容容器２５に落下するときの姿勢がばらついてしまうことがある。その点、裁断されたシートＳの垂れ下がった部分を案内部４４が受けることによって、裁断片ＣＳはその長さにかかわらず、長手方向が幅方向Ｘに沿うように落下時の姿勢がそろえられる。したがって、裁断に伴って生じる裁断片ＣＳの長さが異なる場合にも、裁断片ＣＳの落下姿勢のばらつきを抑制することができる。これにより、裁断片ＣＳの落下姿勢がばらつき、裁断片ＣＳの向きがそろわない状態で収容容器２５に落下するために生じる、裁断片ＣＳが鳥の巣状に重なった状態で積み上げられて収容容器２５内がすぐに満杯になってしまうという課題も生じにくい。
【００５８】
（３）案内部４４は、長さ方向Ｙにおける基端が裁断機構４３の鉛直方向下方に配置される一方で長さ方向Ｙにおける先端が裁断機構４３よりも長さ方向Ｙに突出しているので、裁断片ＣＳが裁断され終わったときの勢いで長さ方向Ｙに移動した場合にも、裁断片ＣＳを案内部４４に接触させることができる。
【００５９】
（４）案内部４４は、長さ方向Ｙにおける先端が長さ方向Ｙにおける基端よりも低いので、案内部４４に接触した裁断片ＣＳの引っかかりを抑制しつつ、接触した裁断片ＣＳの姿勢をそろえることができる。
【００６０】
（５）案内部４４の長さ方向Ｙにおける先端には縁部５１ａ，５２ａが設けられており、基端から先端に続く案内部４４の面より縁部５１ａ，５２ａの面の方が水平に対する傾斜角度が小さいので、案内部４４の傾斜に沿って下方に案内される裁断片ＣＳは、縁部５１ａ，５２ａにおいて落下速度が低減される。そして、裁断片ＣＳの第２端側の落下を遅らせることによって、裁断片ＣＳの姿勢が水平に近づくように、裁断片ＣＳの姿勢を整えることができる。
【００６１】
（６）裁断片ＣＳが可動刃４２の移動方向に飛ばされると、規制壁部４９に接触することによって移動領域の外側へ向けた移動が規制される。また、規制壁部４９は鉛直方向において案内部４４よりも上方に配置されているので、規制壁部４９に接触して落下した裁断片ＣＳを案内部４４に接触させることによって、長手方向が幅方向Ｘに沿うように落下時の姿勢をそろえることができる。
【００６２】
（７）規制壁部４９は幅方向Ｘにおいて第２端側から第１端側に向かって下がるように傾斜しているので、可動刃４２の移動方向に飛ばされて規制壁部４９に接触した裁断片ＣＳは、移動領域の内側（規制壁部４９より第２端寄り）に向けて落下する。したがって、規制壁部４９に接触して落下する裁断片ＣＳを、規制壁部４９よりも下方に位置する案内部４４に接触させて、落下時の姿勢をそろえることができる。
【００６３】
（８）裁断片ＣＳの落下時の姿勢をそろえることによって、裁断片ＣＳの向きをそろえた状態で収容容器２５に収容することができるので、より多くの裁断片ＣＳを収容容器２５に収容することができる。これにより、収容容器２５を筐体部１２から取り外して収容された裁断片ＣＳを除去する頻度を低下させることができる。また、頻繁に裁断片ＣＳを捨てる必要がないので、連続して記録を行うことができる。
【００６４】
（９）案内部４４は、基端側が収容容器２５の上端に取り付けられている一方で先端側が収容容器２５内に配置されるように下向きに傾斜しているので、シートＳから切り離されて落下した裁断片ＣＳを収容容器２５の底部に向けて案内することができる。
【００６５】
なお、上記実施形態は以下のように変更してもよい。
・裁断されるシートＳの幅の種類に応じて、案内部４４の長さ方向Ｙのおける長さを、幅方向Ｘにおいて２段階以上に変化させてもよいし、長さ方向Ｙにおける長さが異なる複数の案内部４４を幅方向Ｘに並ぶように配置してもよい。また、案内部４４の長さ方向Ｙのおける長さを、幅方向Ｘにおいて無段階に変化するように、案内部４４の先端を幅方向Ｘ及び長さ方向Ｙの双方と交差するように傾斜させてもよい。
【００６６】
・裁断片ＣＳの裁断方向が幅方向Ｘの第２端側から第１端側に向かう方向に限定されている場合には、可動刃４２の移動領域の幅方向Ｘにおける第２端側に規制壁部４９Ｌを配置しなくてもよい。また、裁断片ＣＳが可動刃４２の移動方向に飛ばない場合には、規制壁部４９を備えなくてもよい。
【００６７】
・裁断装置４０の裁断機構４３は、シートＳの幅方向Ｘに延びる固定刃４１と幅方向Ｘに移動する円盤状の可動刃４２とを有する構成ではなく、固定刃を使用せずに複数の可動刃が幅方向Ｘに移動してシートＳを裁断してもよい。また、可動刃は、円盤状ではなく、直線状の刃を有するもの、何辺かが直線状の刃を有するもの、さらに、直線状の刃に代わり曲線状の刃を有するものであってもよい。
【００６８】
・案内部４４に縁部５１ａ，５２ａを形成しなくてもよい。この場合にも、案内部４４の水平に対する傾斜角度を小さくすることによって、案内部４４に接触した裁断片ＣＳの落下速度を低減することができる。なお、案内部４４に縁部５１ａ，５２ａを設けた場合には、案内部４４の基端側の水平に対する傾斜角度を大きくしても裁断片ＣＳの落下速度を低減することができるので、長さ方向Ｙにおける案内部４４の設置スペースを小さくすることができる。したがって、本実施形態のように、長さ方向Ｙにおける寸法が短い薄型の収容容器２５であっても、案内部４４を取り付けることができる。
【００６９】
・案内部４４の長さ方向Ｙにおける基端が、取り外し可能な収容容器２５を構成する収容部形成部材２７の上端部分に固定されずに、収容容器２５を取り外した際に、記録装置１１側に案内部４４が残るように筐体部１２に固定されていてもよい。この場合、収容容器２５を記録装置１１に取り付けると、案内部４４は、収容部形成部材２７の上端部分に固定されるのと同様に、裁断片ＣＳの向きがそろえられた状態で収容容器２５内に収容されるような位置となることが好ましい。
【００７０】
・収容容器２５の開口部が可動刃４２よりも搬送方向の下流側に配置されている場合などには、案内部４４を収容容器２５の外側に配置してもよい。この場合には、収容容器２５内に案内部４４が配置されない分、収容容器２５内において裁断片ＣＳを収容するスペースを大きくすることができる。一方、上記実施形態のように案内部４４を収容容器２５の上端に取り付けることによって、収容容器２５を筐体部１２から取り外したときに、収容容器２５に収容された裁断片ＣＳがこぼれ出るのを案内部４４によって抑制することができる。
【００７１】
・収容容器２５の開口部が可動刃４２よりも搬送方向の上流側に配置されている場合などには、案内部４４の上端が裁断機構４３の鉛直方向下方に配置される一方で、下端が裁断機構４３よりも搬送方向の上流側に突出するように配置するのが好ましい。
【００７２】
・裁断装置４０を備える記録装置は、インクなどの流体を噴射することで記録を行うインクジェット式のプリンターに限らない。例えばレーザープリンター、ＬＥＤプリンター、熱転写プリンター（昇華型プリンターを含む）などのノンインパクトプリンターでもよいし、ドットインパクトプリンターなどのインパクトプリンターなどの記録装置に裁断装置４０を備えるようにしてもよい。
【００７３】
また、記録装置は印刷機能のみを備えるプリンターに限らず、例えば画像読取機能を備える複合機であってもよいし、ファクシミリ、複写装置、またはこれら装置を備える複合機であってもよい。
【００７４】
・裁断装置４０は単独で用いることもできるし、例えばシートＳに折り加工や型抜き加工を行う加工装置など、記録装置以外の装置に備えて用いることもできる。なお、シートＳに記録等の加工を行う場合には、これら加工を行う前にシートＳを裁断してもよいし、加工を行った後にシートＳを裁断してもよい。
【００７５】
・シートＳは長尺の紙等を巻いたロール体として供給する用紙に限らず、プラスチックフィルムや薄い板材などでもよいし、布帛であってもよい。本実施形態は、裁断片ＣＳとして収容容器２５などに収容される際に、裁断片ＣＳどうしの向きがばらつくと緩衝し合い、嵩張ってしまうような材質のものに対して、特に有効である。そのため、可撓性を有しない材質や、可撓性と弾性を合わせて有して姿勢を維持し易い材質、などを用いたシートＳに対して有効である。
【符号の説明】
【００７６】
１１…記録装置、２５…収容容器、３１…記録部、４０…裁断装置、４１…固定刃、４１ａ…刃部、４２…可動刃、４３…裁断機構、４４，５１，５２…案内部、４９，４９Ｌ，４９Ｒ…規制壁部、５１ａ，５２ａ…縁部、ＣＳ…裁断片、Ｓ…シート、Ｘ…幅方向、Ｙ…長さ方向。
【図１】
2015054358.tif 000003
【図２】
2015054358.tif 000004
【図３】
2015054358.tif 000005
【図４】
2015054358.tif 000006
【図５】
2015054358.tif 000007
【図６】
2015054358.tif 000008
【図７】
2015054358.tif 000009
【図８】
2015054358.tif 000010